(57)【要約】      （修正有）【課題】差込継手部材を簡単に組み付けることができる差込継手部材を提供する。【解決手段】流体配管のための接続ジオメトリーと、収容開口部５とを有する本体２を備えるタイプの差込継手部材１について、収容開口部５の領域に、半径方向外側から内側に向かって傾動可能である、円周方向に配分されて配置された複数の爪７を有する爪構造６が配置されている。【選択図】図１
2015183851.tif 000002
【特許請求の範囲】
【請求項１】
流体配管（４）のための接続ジオメトリー（３）と収容開口部（５）とを有する本体（２）を備える差込継手部材（１）において、前記収容開口部（５）の領域に、半径方向外側から内側に向かって傾動可能である、円周方向に配分されて配置された複数の爪（７）を有する爪構造（６）が配置されていることを特徴とする差込継手部材。
【請求項２】
前記爪（７）は前記本体（２）に取り付けられた爪リング（１０）に配置されていることを特徴とする、請求項１に記載の差込継手部材。
【請求項３】
前記爪（７）は半径方向外側に向かう初期応力をもって前記本体（２）に配置されていることを特徴とする、請求項２に記載の差込継手部材。
【請求項４】
前記本体（２）は、前記爪リング（１０）が中に配置された、半径方向外側に向かって開いた円周溝（１１）を有していることを特徴とする、請求項２または３に記載の差込継手部材。
【請求項５】
前記爪リング（１０）は前記収容開口部（５）の軸方向で前記円周溝（１１）よりも小さい厚みを有していることを特徴とする、請求項４に記載の差込継手部材。
【請求項６】
前記本体（２）に対して相対的に可動であり、第１の位置のときに半径方向内側に向かって前記爪（７）に作用し、第２の位置のときに半径方向外側に向かって前記爪（７）が傾動するための空間を解放するスライダブッシュ（１７）が設けられていることを特徴とする、請求項１から５のいずれか１項に記載の差込継手部材。
【請求項７】
前記スライダブッシュ（１７）は前記収容開口部（５）の軸方向の成分をもって可動であることを特徴とする、請求項６に記載の差込継手部材。
【請求項８】
前記スライダブッシュ（１７）は前記収容開口部（５）の円周方向の成分をもって可動であることを特徴とする、請求項６または７に記載の差込継手部材。
【請求項９】
前記スライダブッシュ（１７）は前記本体（２）にある少なくとも１つの案内溝（１９）の中で案内されていることを特徴とする、請求項６から８のいずれか１項に記載の差込継手部材。
【請求項１０】
前記案内溝（１９）は少なくとも区域的に螺旋状に案内されていることを特徴とする、請求項９に記載の差込継手部材。
【請求項１１】
前記スライダブッシュ（１７）は前記スライダブッシュ（１７）が第１の位置にあるときに前記爪（７）が中に入る少なくとも１つの開口部（２０）を有していることを特徴とする、請求項６から１０のいずれか１項に記載の差込継手部材。
【請求項１２】
前記爪（７）は第１の位置のときに前記開口部（２０）の中に入る半径方向の突起（２１）を有していることを特徴とする、請求項１１に記載の差込継手部材。
【発明の詳細な説明】
【技術分野】
【０００１】
本発明は、流体配管のための接続ジオメトリーと収容開口部とを有する本体を備える差込継手部材に関する。
【背景技術】
【０００２】
このような種類の差込継手部材は、たとえば特許文献１から公知である。
【０００３】
このような種類の差込継手部材は、たとえばこのような種類の差込継手部材を備えている流体配管を接続スリーブと結合するために利用される。そのために、本体がその収容開口部で接続スリーブに押し嵌められる。そのときに組立者は、公知の例ではロック装置を形成するばねリングを拡張するために必要である、ロック機構の力を克服しなければならない。接続スリーブが十分な程度まで本体の中に挿入されると、脚部を備えたばねリングを接続スリーブの溝に係止することができる。
【０００４】
接続スリーブへ差込継手部材を外嵌するときに比較的高い力を印加しなければならないので、組付けには労力を要する。
【先行技術文献】
【特許文献】
【０００５】
【特許文献１】ドイツ特許第１０２００６０４７８８２Ｂ３号明細書
【発明の概要】
【発明が解決しようとする課題】
【０００６】
そこで本発明の課題は、容易に組み付けることができる差込継手部材を提供することにある。
【課題を解決するための手段】
【０００７】
この課題は、冒頭に述べた種類の差込継手部材において、収容開口部の領域に、半径方向外側から内側に向かって傾動可能である、円周方向に配分されて配置された複数の爪を有する爪構造が配置されていることによって解決される。
【０００８】
爪は半径方向内側に向かって突出する区域を有している。組付けをするために、爪はその半径方向外側の位置へと傾動する。すると半径方向内側に向かって突出している爪の区域が内のりの空間を自由にし、この空間を通して接続スリーブを収容開口部へ挿入することができる。差込継手部材と接続スリーブが十分な程度まで互いに差し込まれると、爪が半径方向外側から内側に向かって傾動し、それにより、半径方向内側に向かって突出している爪の区域が接続スリーブにある溝に係合することができる。爪がその半径方向内側に向かって突出する区域によって溝に係合するとただちに、差込継手部材を接続スリーブから引き抜くことができなくなる。しかし、差込継手部材を接続スリーブへ外嵌するのに高い力は必要ではない。接続スリーブでの差込継手部材のロックは、押し嵌めの後、爪が半径方向外側から内側に向かって傾動することによって容易に行われる。
【０００９】
爪は本体に取り付けられた爪リングに配置されているのが好ましい。このことは組付けを容易にする。爪は、たとえば爪リングと一体的に構成されていてよい。
【００１０】
爪は半径方向外側に向かう初期応力をもって本体に配置されているのが好ましい。接続スリーブで差込継手部材をロックするために、半径方向外側から半径方向内側に向かって力を爪に作用させるだけでよい。この力が存在しなくなったときに、ロック解除が自動的に行われる。それによって解体も簡単に行われる。
【００１１】
本体は、爪リングが中に配置された、半径方向外側に向かって開いた円周溝を有しているのが好ましい。そして爪リングは、半径方向内側に向かって突き出し、それによって全部の爪を本体に固定する、いわば爪の脚部を形成する。爪リングと爪の間の結合部で、すでにある程度の初期応力を印加することができる。そのようにして、爪が半径方向外側から内側に向かって傾動したときに、たとえば爪を爪リングに対して内方に向かって湾曲させることができる。さらに別の選択肢の要諦は、爪リングと爪を一緒に傾動させることにある。爪リングは、組付けを容易にするために、円周方向で中断されていてよい。
【００１２】
このとき、爪リングが収容開口部の軸方向で円周溝よりも小さい厚みを有しているのが好ましい。それにより、爪リングが収容開口部の中で傾動することができ、このことは爪自体の傾動を容易にする。
【００１３】
本体に対して相対的に可動であり、第１の位置のときに半径方向内側に向かって爪に作用し、第２の位置のときに半径方向外側に向かって爪が傾動するための空間を解放するスライダブッシュが設けられているのが好ましい。スライダブッシュは、爪を一緒に半径方向内側に向かって動かせるだけでなく、爪を半径方向内側に向かって傾動した位置で固定することもできる比較的簡単な手段である。スライダブッシュが第１の位置にある限り、爪は半径方向外側に向かって傾動することができず、接続スリーブとのロックを緩めることができない。
【００１４】
スライダブッシュは、収容開口部の軸方向の成分をもって可動であるのが好ましい。すなわちスライダブッシュは、差込継手部材が接続スリーブへ押し嵌められた後、さらに接続スリーブに向かう方向へと動き、それにより基本的に組立者は、差込継手部材を接続スリーブへ押し嵌めてそこでロックするために、ただ１回の運動を行うだけでよい。
【００１５】
スライダブッシュは収容開口部の円周方向の成分をもって可動であるのが好ましい。このケースでは、スライダブッシュを本体の上で円周方向に回転させることができる。特別に好ましい実施形態では、スライダブッシュを第２の位置から第１の位置へ動かすために、軸方向への運動と円周方向への運動の組み合わせが行われることが意図される。
【００１６】
このとき、スライダブッシュは本体にある少なくとも１つの案内溝の中で案内されることが意図されているのが好ましい。それにより、本体でのスライダブッシュの運動軌道が設定される。スライダブッシュは、溝の中にある、たとえば半径方向内側を向いた突起を有することができる。
【００１７】
この溝は少なくとも区域的に螺旋状に案内されているのが好ましい。「傾いた」溝により、スライダブッシュが収容開口部の軸方向へ動いたとき、同時に、円周方向のある程度の回転運動が行われることが自動的に保証される。
【００１８】
スライダブッシュは、スライダブッシュが第１の位置にあるときに爪が中に入る少なくとも１つの開口部を有しているのが好ましい。それによりスライダブッシュが爪構造に対してロックされ、すなわち、スライダブッシュは少なくとも１つの爪によってロック位置で固定され、すなわち第１の位置で固定される。ロックを解除するには、この爪を開口部から押し出さなければならず、すなわち、半径方向内側に向かって押し出さなければならない。
【００１９】
爪は第１の位置のときに開口部の中に入る半径方向の突起を有しているのが好ましい。それにより、スライダブッシュを爪構造に対してロックするために利用される爪を、接続スリーブと差込継手部材をロックするためにも利用することができる。開口部の中に入る突起に基づき、該当する爪は、爪構造とスライダブッシュの間のロックを惹起するために、あまりに大きく半径方向外側に向かって撓まなくてよい。当然ながら、円周方向に配分された複数の開口部がスライダブッシュに設けられていてよく、相当数の「ロック爪」を設けることができる。
【００２０】
次に、好ましい実施例を用いて図面と関連させながら本発明について説明する。図面には次のものが示されている：
【図面の簡単な説明】
【００２１】
【図１】開いた状態で示す差込継手部材である。
【図２】差込継手部材と接続スリーブを示す模式的な断面図である。
【図３】差込継手部材が押し嵌められた図２の断面図である。
【図４】差込継手部材がロックされた図２の断面図である。
【図５】ロックされた位置にある差込継手部材を示す斜視図である。
【図６】スリーブの上の差込継手部材を示す拡大図である。
【図７ａ】２つの異なる状態のうちの一つで示す爪構造である。
【図７ｂ】２つの異なる状態のうちの別の一つで示す爪構造である。
【発明を実施するための形態】
【００２２】
図１は、流体配管４（図２）のための接続ジオメトリー３と、収容開口部５とを有する本体２を備えた差込継手部材１を模式的な斜視図として示している。
【００２３】
収容開口部５の領域に爪構造６が配置されている。爪構造６は、円周方向に配分されて配置された多数の爪７を有している。爪７は円周方向で互いに分かれている。各々の爪７は、本体２と反対を向いているほうの端部に、平坦なプレートとして構成されていてよい、半径方向内側に向かって突出する区域８を有している。さらに各々の爪は半径方向の外面に、爪を補強する役目を果たす１つまたは複数のビード９を有している。
【００２４】
図２から明らかなように、爪７は爪リング１０に取り付けられている。爪リング１０は、組付けを容易にするために、円周方向に中断部を有することができる。本体２は、接続ジオメトリー３と反対を向いているほうの軸方向端部に、爪リング１０が中に配置された、半径方向外側に向かって開いた溝１１を有している。爪リング１０は環状ディスクであり、その軸方向の厚みは、溝１１の軸方向長さよりも小さい。それに応じて爪リング１０は溝の中で傾動することができる。本体２は、本例では曲げられた薄板から構成されている。溝１１は、本体２の端部１２が半径方向外側に向かって折り返されることによって形成されている。この溝は別の仕方で製作することもでき、たとえばフライス加工、裁断、成形することもできる。
【００２５】
収容開口部の中にはシール材１３が配置されている。
【００２６】
図２には、接続スリーブ１４の手前にある差込継手部材１が示されている。接続スリーブ１４は差込領域１５を有しており、その上に差込継手部材１を押し嵌めることができ、押し嵌められた状態のときにシール材１３がこれに当接する。さらに接続スリーブ１４は、半径方向内側に向かって突出している爪７の区域８がロックされた状態（図４）で突入する円周溝１６（図４）を有する。
【００２７】
差込継手部材１は、本体２の上で可動に支承されたスライダブッシュ１７を有している。ただし、本体２の上でのスライダブッシュ１７の運動可能性は制約されている。スライダブッシュ１７は、本体２にある案内溝１９の中へ突入する、押込部１８によって構成される円周方向に配分された複数の突起を有している。案内溝１９は螺旋状に延びており、もしくは「傾いて」延びている。すなわち、スライダブッシュ１７が図１に示す位置から図５に示す位置へ動いたとき、これは、軸方向の成分（収容開口部５の軸を基準として）と、同じく収容開口部５の軸を基準として円周方向の成分とを含んだ運動である。
【００２８】
図３は、半径方向内側に向かって突出する爪７の区域８が溝１６の軸方向位置にくる程度まで接続スリーブ１４に押し嵌められた差込継手部材１を示している。このことが可能である理由は、爪７が半径方向外側に向かって傾動しており、そのようにして、接続スリーブ１４を通して動かすことができる内のり幅もしくは開口部を解放しているからである。爪リング１０は円周溝１１の中で傾いており、すなわち傾動している。
【００２９】
そしてスライダブッシュ１７が本体２の上で接続スリーブ１４の方向へ動くと、この運動は、スライダブッシュ１７がビード９を介して爪７に作用して、半径方向内側に向かって突出する区域８が接続スリーブ１４の溝１６の中に入る程度まで、この爪を半径方向内側に向かって傾動させるという帰結をもたらす。すなわち、「第１の位置」とも呼ぶことができるこのロック位置のとき、スライダブッシュ１７は半径方向内側に向かって爪７に作用し、半径方向内側に向かって突出している爪７の区域８を接続スリーブ１４の溝１６の中で固定する。
【００３０】
図３と図４を比べてみるとはっきりわかるように、爪７がこのように傾動運動をしたときに爪リング１０が起こされる。爪リング１０は、起こされた位置を超えて、反対向きの傾斜姿勢へと傾動するのが好ましい。そして爪リングは本体２の端部１２に当接する。それと同時に、爪７と爪リング１０との間の結合部が弾性的にいくらか開くように曲がり、それにより爪７は本体２に対して、半径方向外側に向かう初期応力を与えられる。ただしこの初期応力は、半径方向外側に向かって爪７の傾動を生じさせることはできない。そのような運動は、スライダブッシュ１７によってブロックされるからである。
【００３１】
特に図５および図６に見られる通り、スライダブッシュ１７はその円周壁に、第１の位置のときに爪７が突起２１によって中に突入して係止をする、少なくとも１つの開口部２０を有している。スライダブッシュ１７は、図４に示す第１の位置から、爪７が半径方向外側に向かって動くための空間を解放する図２または図３に示す第２の位置へと動くときに回転運動を必要とするが、そのような回転運動は、開口部を通って突出する爪７の突起２１によってブロックされるので、スライダブッシュ１７を容易に第１の位置から第２の位置へ動かすことはできない。組立者は、差込継手部材１を用いて成立している継手結合を再び解除しようとするときには、本体２の上でのスライダブッシュ１７の回転運動を可能にするために、まず、爪７を突起２１とともに半径方向内側に向かって押圧しなければならない。
【００３２】
スライダブッシュ１７が第２の位置（図２および図３）へと動くと、爪７は半径方向で再び外方に向かって傾動し、それにより、半径方向内側に向かって突出する区域８が接続スリーブ１４の溝１６から外に出る。この状態のとき、差込継手部材１を接続スリーブ１４から引き抜くことができる。
【００３３】
図７ａは、爪構造６をロックされた状態で示しており、それに対して図７ｂは、爪構造６を開いた状態で示している。
【００３４】
図７ａに示すロックされた状態のとき、爪７は半径方向内方に向かって傾動しており、それにより区域８は、爪７の区域８により区切られる空間が広い直径を有する開いた状態のときよりも小さい空間を区切っている。図７ｂに示す開いた状態のとき、差込継手部材１は接続スリーブ１４から引き出すことができる。このことは、図７ａに示すロックされた状態では可能でない。
【００３５】
爪リング１０は、弾性的な、あるいはさらにばね作用のある材料でできているのが好ましい。爪リング１０は、たとえばばね鋼などの金属から、または相応の特性をもつプラスチックから構成されていてよい。
【００３６】
差込継手部材１を接続スリーブ１４へ組み付けるためには、スライダブッシュ１７が第２の位置になければならず、それにより、爪７は半径方向外側に向かって傾動している。そして組立者は、差込継手部材１を接続スリーブ１４に押し嵌めることができる。このとき組立者は、接続スリーブ１４の上でのシール材１３の摩擦を克服する力を印加するだけでよい。しかしこの力は、たとえば取付部材を拡張するために必要な力よりも小さい。
【００３７】
差込継手部材が希望される組付位置になったときに初めて、スライダブッシュ１７が本体２の上で動き、それにより爪７が半径方向内側に向かって傾動し、それにより、半径方向内側に向かって突出する区域８が溝１６の中に入り、差込継手部材１が接続スリーブ１４の上で固定される。この位置のとき、突起２１がスライダブッシュ１７の開口部２０に係合するので、第２の位置へのスライダブッシュ１７の運動は可能でなくなる。それにより、接続スリーブ１４に対して差込継手部材が意図せず緩むことが排除される。
【００３８】
半径方向内側に向かって爪７が傾動したとき、および場合により半径方向外側に向かって爪７が運動したとき、たとえば子供用遊具「クリッカー・カエル（Knack-Frosch）」で知られているようなクリック音が生じるのが好ましい。それにより、ロックが希望どおりの仕方で行われているか否かが、音響的にも確実に組立者に表示される。組立者がクリック音を聞くと、爪７が半径方向内側に向かって傾動しており、もしくは飛び出していると確信することができる。それに対して、たとえば溝１６が異物によって塞がれているために、爪７のこのような運動が可能ではないときには、クリック音が発生することはありえない。
【符号の説明】
【００３９】
１    差込継手部材
２    本体
３    接続ジオメトリー
４    流体配管
５    収容開口部
６    爪構造
７    爪
８    区域
９    ビード
１０  爪リング
１１  円周溝
１２  端部
１３  シール材
１４  接続スリーブ
１５  差込領域
１６  溝
１７  スライダブッシュ
１８  押込部
１９  案内溝
２０  開口部
２１  突起
【図１】
2015183851.tif 000003
【図２】
2015183851.tif 000004
【図３】
2015183851.tif 000005
【図４】
2015183851.tif 000006
【図５】
2015183851.tif 000007
【図６】
2015183851.tif 000008
【図７ａ】
2015183851.tif 000009
【図７ｂ】
2015183851.tif 000010